(57)【要約】【課題】給紙トレイに用紙をセットする際に用紙の梱包に添付されているＩＤメモリをトレイに移動することにより確実に用紙の詳細情報を取得すること。【解決手段】画像形成装置は、各給紙部に非接触の不揮発性記憶手段から非接触情報読取手段を搭載し、用紙のパッケージに添付されている不揮発性記憶手段から用紙特性に関する情報を取得することにより、給紙部にセットされた用紙情報を自動的に設定する。【選択図】図１
2008268502.tif 000002
【特許請求の範囲】
【請求項１】
各給紙部に非接触の不揮発性記憶手段から非接触情報読取手段を搭載した画像形成装置において、
用紙のパッケージに添付されている不揮発性記憶手段から用紙特性に関する情報を取得することにより、給紙部にセットされた用紙情報を自動的に設定することを特徴とする画像形成装置。
【請求項２】
前記不揮発性記憶手段からの情報の取り込みは、装置の電源起動時および給紙トレイセット時のみ行なうことを特徴とする請求項１記載の画像形成装置。
【請求項３】
用紙のパッケージに添付されている前記不揮発性記憶手段は流通・在庫管理用のタグを共用することを特徴とする請求項１記載の画像形成装置。
【請求項４】
用紙の特性に関する情報を、装置のメモリに内在しておき、用紙の品番情報から特性を呼び出し、設定を自動的に変更することができること特徴とする請求項１記載の画像形成装置。
【請求項５】
給紙装置内に用紙の不揮発性記憶手段を容易にセットできる構造となっていること特徴とする給紙トレイ。
【請求項６】
給紙装置内に用紙の不揮発性記憶手段を破棄するスペースを設けることを特徴とする給紙トレイ。
【請求項７】
請求項５および請求項６の少なくとも一方の機能を有する給紙トレイを装備したことを特徴とする画像形成装置。
【請求項８】
複数の用紙の不揮発性記憶手段を読み込んだ場合は新規のものを優先し設定変更することを特徴とする請求項１記載の画像形成装置。
【請求項９】
用紙の不揮発性記憶手段から用紙の種類情報を取得することにより、自動的に用紙の種類情報を変更することを特徴とする請求項１記載の画像形成装置。
【請求項１０】
用紙の不揮発性記憶手段より用紙の厚さの情報を取得することにより、自動的に用紙の厚さ情報を変更することを特徴とする請求項１記載の画像形成装置。
【請求項１１】
前記用紙の種類や厚さが本装置で対応できない場合は、操作パネル等にエラー表示やガイダンスの表示を行なうことを特徴とする請求項９または請求項１０記載の画像形成装置。
【請求項１２】
前記用紙の種類や厚さが選択された給紙部で対応できない場合で、他の給紙部では対応可能な場合は操作パネル等に対応可能な給紙部の情報を流すことを特徴とする請求項１０記載の画像形成装置。
【請求項１３】
用紙の不揮発性記憶手段より用紙の色情報を取得することにより、カラー印刷時には用紙の色情報に合わせて印刷時の色条件を変更することにより色再現性を良くすること特徴とする請求項１記載の画像形成装置。
【請求項１４】
前記用紙の色情報を取得しても、カラー印刷時の色条件を変更しない設定が選択可能とすることを特徴とする請求項１３記載の画像形成装置。
【請求項１５】
前記用紙の色情報を取得し、カラー印刷時の色設定をユーザーが容易に変更や保存できるように自動的に色設定画面を立ち上げることを特徴とする請求項１３記載の画像形成装置。
【請求項１６】
上記用紙の色情報を取得しにユーザーが容易に色設定の変更／保存を行なった場合、次回同一色の用紙を検知した場合は自動的に前回のユーザー設定値に自動的に移行することを特徴とする請求項１３記載の画像形成装置。
【請求項１７】
各給紙部に非接触の不揮発性記憶手段から非接触情報読取手段を搭載した画像形成装置において、
用紙のパッケージに添付されている不揮発性記憶手段から用紙特性に関する情報を取得することにより、給紙部にセットされた用紙情報を自動的に設定することをオフする機能を有することを特徴とする請求項１記載の画像形成装置。
【発明の詳細な説明】
【技術分野】
【０００１】
本発明は、各給紙部に非接触の不揮発性記憶手段からの情報読取手段を搭載した画像形成装置および給紙トレイに関する。
【背景技術】
【０００２】
近年、物流や在庫管理の簡素化を目的として商品に非接触の不揮発性記憶手段（以下、ＩＤメモリ）を添付することが増えてきた。
【０００３】
電子写真方式を用いた画像形成装置においても、ユーザーやサービス担当者が消耗品や寿命部品を容易に交換できるようにカートリッジ方式が広く用いられている。
【０００４】
近年では前記カートリッジの情報やリサイクルや消耗品の残量を管理するためＩＤメモリを搭載したものも使用されるようになってきた。ＩＤメモリにはカートリッジの使用時間やトナー等の消耗品の残量データ等を記憶しカートリッジの交換時期の判断に使用されている。
【０００５】
また、特許文献１に記載の技術では印刷用紙にＩＤメモリを設置し、ＩＤメモリより用紙の特性情報を取得し印刷条件の最適化等の処理を行うことが提案されている。
【特許文献１】特開２００６−２５８９４７号公報
【発明の開示】
【発明が解決しようとする課題】
【０００６】
しかし、用紙にＩＤチップを搭載する場合は用紙のコストが大幅に上がってしまう。また、ＩＤチップ部に突起ができるため搬送経路にあるローラやベルトを傷めてしまい、それらの部品の寿命が大幅に低下する。
【０００７】
また、用紙情報をユーザーが書き換える必要があり用紙の種類を変更する場合などは操作が煩雑で作業ミスも発生しやすい。
【０００８】
そこで、本発明では、給紙トレイに用紙をセットする際に用紙の梱包に添付されているＩＤメモリをトレイに移動することにより確実に用紙の詳細情報を取得することを目的とする。
【課題を解決するための手段】
【０００９】
請求項１記載の発明は、各給紙部に非接触の不揮発性記憶手段から非接触情報読取手段を搭載した画像形成装置において、用紙のパッケージに添付されている不揮発性記憶手段から用紙特性に関する情報を取得することにより、給紙部にセットされた用紙情報を自動的に設定することを特徴とする画像形成装置である。
【００１０】
請求項２記載の発明は、請求項１記載の画像形成装置において、不揮発性記憶手段からの情報の取り込みは、装置の電源起動時および給紙トレイセット時のみ行うことを特徴とする。
【００１１】
請求項３記載の発明は、請求項１記載の画像形成装置において、用紙のパッケージに添付されている不揮発性記憶手段は流通・在庫管理用のタグを共用することを特徴とする。
【００１２】
請求項４記載の発明は、請求項１記載の画像形成装置において、用紙の特性に関する情報を、装置のメモリに内在しておき、用紙の品番情報から特性を呼び出し、設定を自動的に変更することができること特徴とする。
【００１３】
請求項５記載の発明は、給紙装置内に用紙の不揮発性記憶手段を容易にセットできる構造となっていること特徴とする給紙トレイである。
【００１４】
請求項６記載の発明は、給紙装置内に用紙の不揮発性記憶手段を破棄するスペースを設けることを特徴とする給紙トレイである。
【００１５】
請求項７記載の発明は、請求項５および請求項６の少なくとも一方の機能を有する給紙トレイを装備したことを特徴とする画像形成装置である。
【００１６】
請求項８記載の発明は、請求項１記載の画像形成装置において、複数の用紙の不揮発性記憶手段を読み込んだ場合は新規のものを優先し設定変更することを特徴とする。
【００１７】
請求項９記載の発明は、請求項１記載の画像形成装置において、用紙の不揮発性記憶手段から用紙の種類情報を取得することにより、自動的に用紙の種類情報を変更することを特徴とする。
【００１８】
請求項１０記載の発明は、請求項１記載の画像形成装置において、用紙の不揮発性記憶手段より用紙の厚さの情報を取得することにより、自動的に用紙の厚さ情報を変更することを特徴とする。
【００１９】
請求項１１記載の発明は、請求項９または請求項１０記載の画像形成装置において、用紙の種類や厚さが本装置で対応できない場合は、操作パネル等にエラー表示やガイダンスの表示を行うことを特徴とする。
【００２０】
請求項１２記載の発明は、請求項１０記載の画像形成装置において、用紙の種類や厚さが選択された給紙部で対応できない場合で、他の給紙部では対応可能な場合は操作パネル等に対応可能な給紙部の情報を流すことを特徴とする。
【００２１】
請求項１３記載の発明は、請求項１記載の画像形成装置において、用紙の不揮発性記憶手段より用紙の色情報を取得することにより、カラー印刷時には用紙の色情報に合わせて印刷時の色条件を変更することにより色再現性を良くすること特徴とする。
【００２２】
請求項１４記載の発明は、請求項１３記載の画像形成装置において、用紙の色情報を取得しても、カラー印刷時の色条件を変更しない設定が選択可能とすることを特徴とする。
【００２３】
請求項１５記載の発明は、請求項１３記載の画像形成装置において、用紙の色情報を取得し、カラー印刷時の色設定をユーザーが容易に変更や保存できるように自動的に色設定画面を立ち上げることを特徴とする。
【００２４】
請求項１６記載の発明は、請求項１３記載の画像形成装置において、上記用紙の色情報を取得しにユーザーが容易に色設定の変更／保存を行った場合、次回同一色の用紙を検知した場合は自動的に前回のユーザー設定値に自動的に移行することを特徴とする。
【００２５】
請求項１７記載の発明は、請求項１記載の画像形成装置であって、各給紙部に非接触の不揮発性記憶手段から非接触情報読取手段を搭載した画像形成装置において、用紙のパッケージに添付されている不揮発性記憶手段から用紙特性に関する情報を取得することにより、給紙部にセットされた用紙情報を自動的に設定することをオフする機能を有することを特徴とする。
【発明の効果】
【００２６】
本発明によれば、給紙トレイに用紙をセットする際に用紙の梱包に添付されているＩＤメモリをトレイに移動することにより確実に用紙の詳細情報を取得することができる。
【発明を実施するための最良の形態】
【００２７】
図１に、本実施の形態における画像形成装置のシステム構成を示す。
画像形成装置のシステムは、画像形成装置の全体制御を行うコントローラボード５０１、コントロールボード５０１、に接続された、画像形成装置の操作部ボード５０２、画像データを記憶するＨＤＤ５０３、及びアナログ回線を使用して外部との通信を行う通信コントロール装置インターフェースボード５０４、ＬＡＮインターフェースボード５０５、汎用ＰＩＣバスに接続された、ＦＡＸのコントローユニット５０６、ＩＥＥＥ１３９４ボード、無線ＬＡＮボード、ＵＳＢボード等５０７と、ＰＣＩバスでコントローラに接続されたエンジン制御ボード５１０、エンジン制御ボードに接続された画像形成装置のＩ／Ｏを制御するＩ／Ｏボード５１３、及び、コピー原稿（画像）を読み込むスキャナーボード（ＳＢＵ）５１１、及び画像データをドラム上に書き込むＬＤＢボード等５１２で構成される。
【００２８】
原稿を光学的に読み取る読取ユニット３００は、原稿に対する原稿照明光源の走査を行い、ＣＣＤ５２１に原稿像を結像する。原稿像すなわち原稿に対する光照射の反射光をＣＣＤ５２０で光電変換してＲ，Ｇ，Ｂ画像信号を生成する。
【００２９】
ＣＣＤ５２１は３ラインカラーＣＣＤで、Ｒ、Ｇ、Ｂ画像信号を生成し、ＳＢＵボードのアナログＡＳＩＣに入力する。ＳＢＵボードにはアナログＡＳＩＣ及び、ＣＣＤ、アナログＡＳＩＣの駆動タイミングを発生する回路を備えている。ＣＣＤの出力は、アナログＡＳＩＣ内部でＲ、Ｇ、Ｂの画像データに変換し、且つシェーディング補正し、そして出力Ｉ／Ｆ（インターフェース）５２０で画像データバスを介して画像データ処理器ＩＰＰ（Image Processing Processor；以下では単にＩＰＰと記述)に送出する。
【００３０】
ＩＰＰは画像処理を行うプログラマブルな演算処理手段であり、階調処理等を行う。ＳＢＵからＩＰＰに転送された画像データは、ＩＰＰにて光学系およびデジタル信号への量子化に伴う信号劣化（スキャナ系の信号劣化）を補正され、フレームメモリ５２１に書き込まれる。
【００３１】
システムコントロールボード５０１には、ＣＰＵ及びシステムコントローラボードの制御を行うＲＯＭ、ＣＰＵが使用する作業用メモリであるＲＡＭ，リチウム電池を内蔵し、ＳＲＡＭのバックアップと時計を内蔵したＮＶ−ＲＡＭ及び、システムコントローラボードのシステバス制御、フレームメモリ制御、ＦＩＦＯ等のＣＰＵ周辺を制御するＡＳＩＣ及びそのインターフェース回路等が搭載されている。
【００３２】
システムコントローラは、スキャナアプリケーション，ファクシミリアプリケーション，プリンタアプリケーションおよびコピーアプリケーション等の複数アプリケーションの機能を有し、システム全体の制御を行う。
【００３３】
操作ボード５０２の入力を解読して本システムの設定とその状態内容を操作部の表示部に表示する。
【００３４】
ＰＣＩバスは他のユニットと接続されており、画像データバス／制御コマンドバスで、画像データと制御コマンドが時分割で転送される。
【００３５】
通信コントローラー装置インターフェースボード５０４は、通信コントロール装置と、コントローラー５０１との通信インターフェースボードである。ＬＡＮインターフェースボード５０５は、社内ＬＡＮに接続されている。社内ＬＡＮとコントローラーとの通信インターフェースボードである。外部機器との通信はこのＬＡＮインターフェースボード５０５を経由して実施される。
【００３６】
ＨＤＤ５０３は、システムのアプリケーションプログラムならびにプリンタ、作像プロセス機器の機器付勢情報を格納するアプリケーションデータベース、ならびに、読み取り画像や書き込み画像のイメージデータ、すなわち画像データ、ならびにドキュメントデータを蓄える画像データベースとして用いられる。
【００３７】
操作部ボード５０２には、ＣＰＵ及びＲＯＭ、ＲＡＭ、ＬＣＤ及びキー入力を制御するＡＳＩＣ（ＬＣＤＣ）が搭載されている。ＲＯＭには操作ボード５０２の入力読込み、及び表示出力を制御する、操作ボード５０２の制御プログラムが書き込まれている。ＲＡＭは、ＣＰＵで使用する作業用メモリである。システムコントローラ５０１との通信により、パネルを操作して使用者がシステム設定の入力を行う入力と、使用者にシステムの設定内容，状態を表示する、表示および入力の制御を行っている。
【００３８】
システムコントローラ５０１のワークメモリーから出力されたブラック（Ｂ）、イエロー（Ｙ）、シアン（Ｃ）、マデンタ（Ｍ）の各色の書き込み信号は、ＬＤＢ（Laser Diode control Board)のＢ，Ｙ，Ｍ、ＣのＬＤ書き込み回路に入力される。ＬＤ書き込み回路でＬＤ電流制御（変調制御）が行われ、各ＬＤに出力される。
【００３９】
エンジン制御部５１０は、画像形成装置の作像作成制御を主として行い、ＣＰＵ及び、画像処理を行うＩＰＰ、複写およびプリントアウトを制御するため必要なプログラムを内蔵したＲＯＭ、その制御に必要なＲＡＭ、及びＮＶ―ＲＡＭを搭載している。
【００４０】
ＮＶ−ＲＡＭにはＳＲＡＭと、電源ＯＦＦを検知して、ＥＥＰＲＯＭにストアーするメモリを搭載している。
【００４１】
また、他の制御を行うＣＰＵとの信号の送受信を行う、シリアルインターフェースも備えている。
【００４２】
Ｉ／ＯＡＳＩＣは、エンジン制御ボードが実装された、近くのＩ／Ｏ（カウンター、ファン、ソレノイド、モーター等）を制御するＡＳＩＣである。
Ｉ／Ｏ制御ボード５１３とエンジン制御ボード５１０とは同期シリアルインターフェース接続されている。
【００４３】
Ｉ／Ｏ制御ボード５１３にはサブＣＰＵを搭載しており、画像形成装置のＩ／Ｏ制御を行っている。新しいプロセスカートリッジの装着を検知するのはドアが開閉された時にも実施する。Ｉ／Ｏボードに接続されたドアＳＷがオープンになると、カートリッジを入れ替えた可能性があるので、確認を行い結果をエンジン制御部に送信する。
【００４４】
インターフェース回路５１５は、カートリッジに搭載された、メモリタグとのインターフェース回路で接触式のメモリタグを使用する場合は本インターフェースを介してカートリッジのメモリへのアクセスを行う。非接触通信手段５１６は、非接触式のメモリタグを使用する場合のインターフェース部で送受信用アンテナを搭載している。本体制御部との通信は非同期のシリアルインターフェースで行われる。本体側から出力された信号を、非接触通信手段５１６は伝送用の所定の信号に変調して、給紙部等に設置された送受信用アンテナに送る。給紙トレイ等のユニット側の非接触不揮発記憶手段（ＩＤチップ）図２は受信用アンテナ図２−７で受けた受信信号を伝送用の所定信号から復調した後パラレル信号に変化して、内部メモリに送る。
【００４５】
図２は本体側の非接触通信回路９とプロセスカートリッジ側の非接触通信回１０との通信インターフェースを示す。
【００４６】
本体側のＣＰＵ１１と非接触通信回路９は、シリアルインターフェースで接続されており、このシリアルコミュニケーションインタフェースにより非接触通回路９と本体ＣＰＵ１１と、信号の送受信が行なわれる。本体側の非接触通信回路９はプロセスカートリジ側の非接触通信回１０と同じ回路構成になっている。本体側のＣＰＵ１１から出力された信号を、非接触通信回路９は伝送用の所定信号に変調して、送受アンテナに送る。プロセスカートリッジ側の非接触通信回路１０は受信用アンテナ８で受けた受信信号を受信回路１２で増幅し復調回路４に送る。復調回路４は伝送用の所定信号に復調後、制御回路に送る。制御回路２は不揮発性メモリに記憶する信号であれば、不揮発性メモリ１に送信する。
【００４７】
制御回路２は、本体から受信した信号が、不揮発性メモリ１の内容を送信する指令であれば、不揮発性メモリ１の内容を変調回路３に送信する。変調回路３は伝送用の所定信号に変調して、送受アンテナ７に送る。
【００４８】
本体側の非接触通信回路９は、受信用アンテナで受けた受信信号を受信回路で増幅し復調回路に送る。復調回路は伝送用の所定信号に復調後、制御回路に送られ、本体ＣＰＵに送られる。
【００４９】
なお、本体側の非接触通信回路９はアンテナ部のみ各給紙トレイ近傍に設置し、通信制御回路は共通で使用し通信時はアンテナを切り替えて使用することも可能である。
【００５０】
電源回路は受信用アンテナ８の電磁波を整流して電源を供給する。
【００５１】
不揮発性ＩＤチップには、プロセスカートリッジの制御に必要な下記のような情報が記憶されている。
【００５２】
用紙品番、製造年月日、用紙種類、用紙厚さ、用紙色情報、枚数、ＩＤチップリサイクル回数、リサイクル回数の上限、保存期間、ＩＤチップへのアクセス回数等、本体内のメモリに各種用紙の情報が登録されている場合は用紙品番のみでも用紙の特性を取得できる。
【００５３】
図３は本システムの制御例の概要を示すフローチャートである。
【００５４】
電源起動時および給紙トレイセット認識時に給紙部に設けられた日接触情報読取手段（以下、ＩＤリーダー）にアクセスしＩＤチップが装着されているかの確認を行う（Ｓ１）。なお、給紙トレイのセットを検知した際に該当トレイが用紙なしの場合はＩＤチップの装着確認を省略しても良い。また、手差し給紙の場合はトレイの操作や用紙のセットを検知した際にＩＤチップの装着確認を実施するように制御しても良い。
【００５５】
ＩＤチップを認識した場合はチップのメモリ部にアクセスし各種データを取得する（Ｓ２、３）。請求項４のように画像形成装置自体のメモリに各種用紙に関する特性情報を保存している場合はＩＤチップからは品番や型番情報のみを取得し、特性値は装置内のメモリデータを使用することもできる。一度に複数のＩＤチップデータを読み込んだ場合は操作パネルにガイダンスやエラー表示を行い、ユーザーに確認を促す。もしくは請求項８のように新規に読み取った情報を優先して設定することにより装置のダウンタイムを低減することもできる。
【００５６】
次に、ＩＤチップから用紙の種類や厚さに関するデータを取得し、用紙が本画像形成装置に適合しているかの判断を行う（Ｓ４−１）。用紙が適合している場合は用紙の設定を自動的に更新する（Ｓ５）（請求項９，１０）。また、選択された給紙部では不適合（インクジェット紙等の特殊紙や適応外の厚さの紙等）であるが手差し給紙部や他の給紙部には適合する場合は操作パネル等にガイダンス（例：トレイ１では本用紙は使用できません。手差し部で使用して下さい）を表示することによりユーザーの作業性を向上するとともに紙詰まりや装置の破損を防止することができる（Ｓ４−４）。（請求項１２）。また、全給紙部で不適合の場合は操作パネル等にエラー表示やガイダンス表示を実施し使用禁止とする（Ｓ４−３）。
【００５７】
また、色情報を取得した場合は自動的に色条件の変更を行い色再現性を良くしたり（請求項１３）、色条件設定画面を自動的に立上げ「用紙の色に合わせた自動補正を行う」ｏｒ「用紙の色に合わせた自動補正を行う」ｏｒ「手動で補正を行う」等の選択を容易にできるように制御することもできる（Ｓ６−１、２、３）。（請求項１４、１５）。
【００５８】
図４はＩＤチップの設置および破棄スペースを有する給紙トレイの一例である。
【００５９】
本トレイでは給紙機構側でかつ手前側にＩＤチップに設置し作業性を良くしている。また、破棄スペースは給紙機構の反対側に設置することによりＩＤチップの誤読取を防止している。ただし、読取機構では一般的にアンチコリジョン対応しており請求項１６のように制御することにより複数のＩＤチップを読み取っても問題はない。
【００６０】
また、請求項１６のような制御を行うことにより給紙トレイ内に複数のＩＤチップを設置することも可能となる。
【００６１】
なお、上述する各実施の形態は、本発明の好適な実施の形態であり、本発明の要旨を逸脱しない範囲内において種々変更実施が可能である。
【００６２】
以下に、各請求項ごとの目的ないしは効果を記載する。請求項２では用紙データの更新を限定することを目的する。請求項３では流通や在庫管理のＩＤメモリと兼用することによりコストの発生を低減することを目的とする。請求項４では装置内に用紙特性を内在させておくことにより読取可能な情報が品番や型番のみの場合でも最適化に必要なトレイ内の用紙の特性情報を取得可能とすること目的とする。請求項５では給紙トレイ内にＩＤメモリを容易に取り付け可能とすることによりユーザーの作業低減やセット忘れを防止することを目的とする。請求項６および請求項７ではトレイ内にＩＤメモリを破棄するスペースを設けることによりユーザーの作業低減するとともに使用済みのＩＤメモリの回収率アップすることを目的とする。請求項８ではユーザーが用紙入れ替えの際に使用済みのＩＤメモリを取り忘れたり、誤って破棄スペースのＩＤメモリデータを読んだ場合でも容易に用紙の特性値の変更を可能とすることを目的とする。
【００６３】
請求項９ではＩＤメモリから読み取った用紙の種類情報より、自動的に用紙設定や印刷条件（用紙の搬送速度や定着部の温度や高圧電源の出力値等）の変更を行うことによりユーザーの作業を低減を行うこと目的とする。請求項１０ではＩＤメモリから読み取った用紙の厚さ情報より、自動的に用紙設定や印刷条件（用紙の搬送速度や定着部の温度や高圧電源の出力値等）の変更を行うことによりユーザーの作業を低減を行うこと目的とする。請求項１１では本装置で対応できない用紙（インクジェット紙や規定の厚さ外の用紙等）がセットされた場合は操作パネルやプリンタドライバ画面にエラー表示や用紙変更のガイダンス等を表示することを目的とする。請求項１２では本給紙部で対応できない用紙がセットされた場合は、対応可能な給紙部を操作パネルやプリンタドライバ画面に表示やトレイ変更のガイダンス等を表示することによりユーザー操作をサポートすること目的とする。請求項１３ではＩＤメモリから読み取った用紙の色情報より、自動的にカラー印刷時の色条件の変更を行うことにより容易に色再現性を向上すること目的とする。請求項１４では用紙の色による色条件の変更を行う際は操作パネル等に表示を行い、色条件の変更を行わない設定を容易に選択可能とすることを目的とする。請求項１５では用紙の色情報により色条件を補正する場合は操作パネルやプリンタドライバの表示を自動的に色調整や色調整保存画面に切り替えることによりユーザーの操作性を向上することを目的とする。請求項１６では一度色条件の設定保存を行うと同一色の用紙がセットされた際は自動的に前回設定値に変更することをよりユーザー作業を省略することを目的とする。請求項１７では本用紙の特性自動読取機能を容易にオフすることを可能にすることにより本装置で読取可能なＩＤチップを搭載した用紙を使用していないユーザーでは確認表示を行わないようにすることを目的とする。
【図面の簡単な説明】
【００６４】
【図１】本発明の実施形態の画像形成装置のシステム構成を示す図である。
【図２】本発明の実施形態の非接触型ＩＤチップの構成の一例を示す図である。
【図３】本発明の実施形態の制御例の概要を示すフローチャートである。
【図４】本発明の実施形態のＩＤチップの設置および破棄スペースを有する給紙トレイの一例を示す図である。
【符号の説明】
【００６５】
３００    読取ユニット
５０１    コントローラボード
５０２    操作部ボード
５０３    ＨＤＤ
５０４    通信コントロール装置インターフェースボード
５０５    ＬＡＮインターフェースボード
５０６    コントローユニット
５０７    ＵＳＢボード等
５１０    ＵＳＢボード等
５１１    スキャナーボード（ＳＢＵ）
５１２    ＬＤＢボード
５１３    Ｉ／Ｏボード
【図１】
2008268502.tif 000003
【図２】
2008268502.tif 000004
【図３】
2008268502.tif 000005
【図４】
2008268502.tif 000006